(57)【要約】【課題】  様々な釣り関連用品を保持することが可能なロッドホルダーベースの提供。【解決手段】  ロッドホルダーベース１は、ベース部２と、アーム部３とを備えている。ベース部２は、船縁２０に取り付けられロッドホルダー１０を支持している。アーム部３は、ベース部２に接続されている。アーム部３には、餌箱台座４１及び磁石台座４７が着脱可能である。【選択図】図３
2019024471.tif 000002
【特許請求の範囲】
【請求項１】
船縁に取り付けられ、ロッドホルダーを支持するベース部と、
前記ベース部に接続され、前記ベース部から船縁から離間する離間方向に突出し、少なくとも１つの支持孔が形成されたアーム部と、を備えたロッドホルダーベースであって、
前記支持孔に挿通される挿通部と、前記挿通部と前記アーム部とを固定する固定部と、を備え、釣り関連用品を保持する保持台座が着脱可能であることを特徴とするロッドホルダーベース。
【請求項２】
前記ベース部には、前記離間方向と交差する突出方向に貫通するアーム保持孔が形成され、
前記アーム部は、前記離間方向に延びる第１アームと、前記第１アームと平行に延びる第２アームと、を備え、
前記第１アーム及び前記第２アームには、前記突出方向に貫通し、前記突出方向から見て一致するようにベース保持孔がそれぞれ形成されていて、
前記アーム部が前記ベース部に接続されるときは、前記アーム保持孔と前記ベース保持孔とを前記突出方向から見て一致させ、前記アーム保持孔と前記ベース保持孔とに挿通部材を挿通して固定部材で固定することを特徴とする請求項１に記載のロッドホルダーベース。
【請求項３】
前記アーム部は、前記離間方向に延びる第１アームと、前記第１アームと平行に延びる第２アームと、を備え、
前記支持孔は、前記離間方向と交差する突出方向から見て一致するように前記第１アーム及び前記第２アームにそれぞれ形成されていて、
前記挿通部は、前記支持孔に前記突出方向に挿通されることを特徴とする請求項１に記載のロッドホルダーベース。
【請求項４】
前記アーム部に形成された前記支持孔は前記離間方向に並ぶように等間隔で配置され、
前記保持台座は複数の挿通部を備え、
前記挿通部の前記離間方向における距離は前記支持孔の前記離間方向の距離と一致することを特徴とする請求項１から３のいずれか１項に記載のロッドホルダーベース。
【請求項５】
前記ベース部に接続され、前記船縁から内側に延びるように鋏を保持する鋏保持部をさらに有することを特徴とする請求項１から４のいずれか１項に記載のロッドホルダーベース。
【請求項６】
船縁に取り付けられる取付部と、前記取付部から立設し少なくとも複数の保持孔が形成された側面部と、を有するベース部を備えたロッドホルダーベースであって、
前記保持孔に挿通される複数の挿通部と、前記挿通部と前記ベース部とを固定する複数の固定部と、を備え、釣り関連用品を保持する保持台座が着脱可能であることを特徴とするロッドホルダーベース。
【発明の詳細な説明】
【技術分野】
【０００１】
本発明はロッドホルダーベースに関し、特に船縁に取り付けるロッドホルダーのロッドホルダーベースに関する。
【背景技術】
【０００２】
従来より、船縁に取り付け電動リールのバッテリーを保持することが可能なロッドキーパーが知られている（例えば、特許文献１）。ロッドキーパーは、アリ溝が形成されたバッテリー装着ベースを有していて、バッテリーをアリ溝にスライドさせることによりバッテリーを固定する。
【０００３】
また、ロッドキーパーから船縁に沿って延びるように弾性を有する発泡剤が固定された仕掛け固定具が知られている（例えば、特許文献２）。仕掛け固定具では、細長長方形形状の仕掛け糸固定台にはスリットが形成されていて、スリットに釣糸を通し、ハリスを船内に垂らしておくことにより、仕掛けを固定する。
【先行技術文献】
【特許文献】
【０００４】
【特許文献１】実開平６−７９２７７号公報
【特許文献２】特開２００４−３２９１９８号公報
【発明の概要】
【発明が解決しようとする課題】
【０００５】
しかしながら、特許文献１に記載のロッドキーパーではバッテリーしか保持することができないため、他の釣り関連用品をロッドキーパーの周囲に配置したいという要望に答えるものではなかった。特許文献２に仕掛け固定具では、特定の仕掛けしか保持することができないため、他の釣り関連用品を保持することができなかった。
【０００６】
そこで、本発明は様々な釣り関連用品を保持することが可能なロッドホルダーベースを提供することを目的とする。
【課題を解決するための手段】
【０００７】
上記課題を解決するために本発明は、船縁に取り付けられ、ロッドホルダーを支持するベース部と、前記ベース部に接続され、前記ベース部から船縁から離間する離間方向に突出し、少なくとも１つの支持孔が形成されたアーム部と、を備えたロッドホルダーベースであって、前記支持孔に挿通される挿通部と、前記挿通部と前記アーム部とを固定する固定部と、を備え、釣り関連用品を保持する保持台座が着脱可能であることを特徴とするロッドホルダーベースを提供している。
【０００８】
このような構成によると、ロッドホルダーベースに釣り関連用品を保持することができる保持台座が着脱可能であるため、ロッドホルダーの周辺に釣り関連用品を配置することができる。また、アーム部は船縁から離間する方向に突出しているため、船縁と干渉することなく保持台座をロッドホルダーベースの周囲に配置することができる。さらに、アーム部と保持台座とは、挿通部が支持孔に挿通され固定部によって固定されているため、船の揺れ等によってもアーム部と保持台座とが離脱することがない。これにより、簡易な構成によってアーム部と保持台座とを強固に固定することができる。
【０００９】
また、前記ベース部には、前記離間方向と交差する突出方向に貫通するアーム保持孔が形成され、前記アーム部は、前記離間方向に延びる第１アームと、前記第１アームと平行に延びる第２アームと、を備え、前記第１アーム及び前記第２アームには、前記突出方向に貫通し、前記突出方向から見て一致するようにベース保持孔が形成されていて、前記アーム部が前記ベース部に接続されるときは、前記アーム保持孔と前記ベース保持孔とを前記突出方向から見て一致させ、前記アーム保持孔と前記ベース保持孔とに挿通部材を挿通して固定部材で固定してもよい。
【００１０】
このような構成によると、ベース部とアーム部とはベース保持孔とアーム保持孔とに挿通部材が挿通され固定部材によって固定されているため、船の揺れ等によってもアーム部とベース部とが離脱することがない。これにより、簡易な構成によってアーム部とベース部とを強固に固定することができる。
【００１１】
また、前記アーム部は、前記離間方向に延びる第１アームと、前記第１アームと平行に延びる第２アームと、を備え、前記支持孔は、前記離間方向と交差する突出方向から見て一致するように前記第１アーム及び前記第２アームにそれぞれ形成されていて、前記挿通部は、前記支持孔に前記突出方向に挿通されてもよい。
【００１２】
このような構成によると、支持孔が第１アーム及び第２アームのそれぞれに形成されているため、第１アームと第２アームとで保持台座を保持することができる。これにより、より強固にアーム部が保持台座を保持することができる。
【００１３】
また、前記アーム部に形成された前記支持孔は前記離間方向に並ぶように等間隔で配置され、前記保持台座は複数の挿通部を備え、前記挿通部の前記離間方向における距離は前記支持孔の前記離間方向の距離と一致してもよい。
【００１４】
このような構成によると、保持台座は複数の挿通部材によってアーム部に保持されているため、より強固にアーム部が保持台座を保持することができる。また、保持台座が挿通部材を中心に回転することを防止できる。
【００１５】
また、前記ベース部に接続され、前記船縁から内側に延びるように鋏を保持する鋏保持部をさらに有していてもよい。
【００１６】
このような構成によると、船縁から内側に延びるように鋏保持部を備えているため、ロッドホルダーベースで鋏を保持することができる。また、鋏保持部が船縁から内側に延びているため、鋏が海に落下することを防止できる。
【００１７】
本発明の別の観点では、船縁に取り付けられる取付部と、前記取付部から立設し複数の保持孔が形成された側面部と、を有するベース部を備えたロッドホルダーベースであって、前記保持孔に挿通される複数の挿通部と、前記挿通部と前記ベース部とを固定する複数の固定部と、を備え、釣り関連用品を保持する保持台座が着脱可能であることを特徴とするロッドホルダーベースを提供している。
【００１８】
このような構成によると、ロッドホルダーベースに釣り関連用品を保持することができる保持台座が着脱可能であるため、ロッドホルダーの周辺に釣り関連用品を配置することができる。また、ベース部と保持台座とは、複数の挿通部が複数の支持孔にそれぞれ挿通されて固定部によって固定されているため、船の揺れ等によってもベース部と保持台座とが離脱することがない。これにより、簡易な構成によってベース部と保持台座とを強固に固定することができる。
【発明の効果】
【００１９】
本発明によれば、本発明は様々な釣り関連用品を保持することが可能なロッドホルダーベースを提供することができる。
【図面の簡単な説明】
【００２０】
【図１】本発明の実施の形態によるロッドホルダーベースの斜視図。
【図２】本発明の実施の形態によるロッドホルダーベースのベース部の斜視図。
【図３】本発明の実施の形態によるロッドホルダーベースを船縁に取り付けたときの斜視図。
【図４】（ａ）従来のロッドホルダーに竿を取り付けた状態を示す側面図、（ｂ）本発明の実施の形態のロッドホルダーに竿を取り付けた状態を示す側面図。
【図５】本発明の変形例によるロッドホルダーベースの斜視図。
【発明を実施するための形態】
【００２１】
本発明の実施の形態によるロッドホルダーベースを図１乃至図４に基づき説明する。図中に示すように、前後上下左右方向を定義する。
【００２２】
図１に示すロッドホルダーベース１は、ベース部２と、アーム部３と、接続部材４と、を備えている。ロッドホルダーベース１は防錆のためにステンレスからなり、図３に示すように、釣り船の船縁２０に取り付けられるロッドホルダー１０のベースとなる部材である。図２に示すように、ベース部２は、一対の側面部２１と、底面部２２と、から構成されている。側面部２１は、底面部２２の左右方向端部から上方に向けて立設されており、各側面部２１は同一形状をなしている。側面部２１には、４つのロッドホルダー保持孔２３と、２つのアーム保持孔２４と、長孔２５とが左右方向に貫通するように形成されている。底面部２２は本発明の取付部に相当し、アーム保持孔２４は本発明の保持孔に相当する。
【００２３】
ロッドホルダー保持孔２３は、前部に位置する２つの前孔２３ａと、中央よりやや後方に位置する後孔２３ｂと、後部に位置する楕円孔２３ｃと、から構成されている。ロッドホルダー１０を装着する際、対応するロッドホルダー保持孔２３のうちの少なくとも２つを用いてロッドホルダー１０をベース部２に固定する。図３に示すように、前孔２３ａのうち上方に位置する孔は、ベース部２とアーム部３とを固定する際にも使用される。前孔２３ａ及び後孔２３ｂは円形の貫通孔であって、楕円孔２３ｃは略楕円形状の長孔である。ロッドホルダー１０を固定する際に楕円孔２３ｃを使用することにより、ロッドホルダー１０の位置を微調整することができる。図３に示すように、ロッドホルダー１０をベース部２に固定する際は、ロッドホルダー保持孔２３には前側固定部材１１及び後側固定部材１２が挿入される。
【００２４】
図２に示すように、アーム保持孔２４は、アーム部３をベース部２に固定する際に使用される孔であって、前後方向に間隔を隔てて並列配置されている。各アーム保持孔２４の左右方向外側の側面は、面取りがされている。長孔２５は、円弧形状の長孔であって軽量化及びデザイン性向上を目的として形成されている。
【００２５】
底面部２２の四隅には、４つのベース固定孔２６が形成されていて、ベース固定孔２６に図示せぬボルトを挿入することによりベース部２を船縁２０に固定する。
【００２６】
図１に示すように、ベース部２には、鋏５１（図３）を保持する鋏保持部５が着脱可能に設けられている。鋏保持部５は、固定ピン５２と、本体５３とを有している。固定ピン５２は、左右方向それぞれの下方に位置する前孔２３ａに端部が挿入されることにより、ベース部２に保持される。本体５３の位置を調整するために、他の孔に挿入してもよい。本体５３は、上下方向が開口し下方に向かうにつれて開口面積がせまくなるように形成されていて、鋏５１の刃部を保持している。本体５３を複数設けることにより、複数の鋏を保持可能としてもよい。
【００２７】
アーム部３は、第１アーム３１と、第２アーム３２と、横架部３３と、から構成されている。第１アーム３１と第２アーム３２とは略同一形状であるため、第１アーム３１の構成についてのみ説明する。第１アーム３１は、腕部３４と、腕部３４と一体で構成される被固定部３５と、を備えている。腕部３４は前後方向に延び、複数の第１支持孔３６が等間隔で前後方向に並ぶように形成されている。第１アーム３１に形成されている第１支持孔３６と第２アーム３２に形成されている第２支持孔３７とは、左右方向から見て互いに一致している。本実施の形態では、第１アーム３１及び第２アーム３２にはそれぞれ８つの第１支持孔３６及び第２支持孔３７が形成されている。第１アーム３１と第２アーム３２との左右方向の距離は、各側面部２１の左右方向の距離よりも僅かに長い。第１支持孔３６及び第２支持孔３７は、本発明の支持孔に相当する。
【００２８】
被固定部３５は側面視略Ｌ字形状であって、アーム部３とベース部２とを固定するための３つのベース保持孔３８が形成されている。３つのベース保持孔３８のうち下方に位置する２つは、アーム部３をベース部２に取り付ける際、アーム保持孔２４と一致する位置に形成されていて、上方に位置する２つのアーム保持孔２４は、アーム部３をベース部２に取り付ける際、上側の前孔２３ａと一致する位置に形成されている。横架部３３は、第１アーム３１の前上端部と第２アーム３２の前上端部とを繋ぐ部材であって、前後方向に幅を有している。
【００２９】
図３に示すように、ロッドホルダーベース１のアーム部３には、様々な保持台座が着脱可能である。保持台座の一例である餌箱台座４１は、２つの第１挿通部４２と、２つの第１固定部４３と、スペーサ４４と、フレーム４５と、箱４６と、から構成されている。第１挿通部４２は先端部に雄ネジが形成されたボルトであって、第１支持孔３６と第２支持孔３７とに挿通されて対応する第１固定部４３によってアーム部３に固定される。第１固定部４３は雌ネジが形成された蝶ナットであって、第１挿通部４２の先端部の雄ネジと螺合する。第１挿通部４２は、前後方向に間隔を隔てて２つ設けられていて、第１挿通部４２の前後方向の間隔と第１支持孔３６及び第２支持孔３７との前後方向の間隔は同一である。
【００３０】
スペーサ４４は、アーム部３と箱４６とを左右方向に離間させるための部材であって、餌箱台座４１に使用する餌の種類等によって左右方向の長さを任意に設定することができる。スペーサ４４の左側面から２つの第１挿通部４２が左方向に延びるように設けられていて、右側面にはフレーム４５が設けられている。フレーム４５は、箱４６を落下しないように保持する部材であって図示せぬロック部材によって箱４６と結合されている。箱４６はメッシュ状であるため、冷凍餌が解凍される際に発生するドリップは、船を汚すことなく海に落下する。餌箱台座４１は、アーム部３の先端部分に固定されているが、前後方向において任意の位置に固定することができる。また、図３に示すように、アーム部３に対して右側に配置してもよく、左側に配置してもよい。
【００３１】
保持台座の他の例である磁石台座４７は、２つの第２挿通部４８と、２つの第２固定部４９と、本体部５０と、から構成されている。第２挿通部４８及び第２固定部４９は、第１挿通部４２及び第１固定部４３と略同一の構成である。本体部５０は磁性を有する磁石であって、第２挿通部４８から左方向に延びる略平板形状をなしている。使用者は、本体部５０の上に釣針を載置し仮固定する。釣針の本数に応じて、本体部５０の左右方向の長さを任意に設定することができる。第１挿通部４２及び第２挿通部４８は、本発明の挿通部に相当している。第１固定部４３及び第２固定部４９は、本発明の固定部に相当している。
【００３２】
接続部材４は、アーム部３とベース部２とを互いに固定するための部材であって、２組のボルト６１と図示せぬナットとから構成される。ボルト６１は本発明の挿通部材に相当し、図示せぬナットは本発明の固定部材に相当する。
【００３３】
次に、図４を参照しながら、本実施の形態によるロッドホルダーベース１のベース部２と従来のロッドホルダーベース１０１との違いを説明する。ロッドホルダーベース１及びロッドホルダーベース１０１は、いずれもロッド７を保持するロッドホルダー１０の船縁２０への取付ベースとなる。
【００３４】
図４（ａ）に示すように、従来のロッドホルダーベース１０１には、前孔１２３ａと後孔１２４ａとが形成されていて、前孔１２３ａ及び後孔１２４ａに図示せぬ固定部材を挿入することによりロッドホルダー１０をロッドホルダーベース１０１に固定する。前孔１２３ａと船縁２０との上下方向の距離は２．７ｃｍとなっている。ロッドホルダー１０は、ロッドホルダーベース１０１上に略水平に載置されていて、ロッド７は略水平に前方に延びるようにロッドホルダー１０に保持される。このとき、ロッド７の先端部とロッドホルダーベース１０１が取り付けられた船縁２０との上下方向の距離はＬ１となる。
【００３５】
図４（ｂ）に示すように、本実施の形態のロッドホルダーベース１のベース部２は、ロッドホルダー１０が前孔２３ａと楕円孔２３ｃとによってロッドホルダーベース１に固定されている。前孔２３ａと船縁２０との上下方向の距離は３．７ｃｍとなっている。ロッドホルダー１０は、ロッドホルダー１０がロッドホルダーベース１０１に取り付けられた場合と比べて、斜め上方を向いている。これにより、ロッドホルダー１０に載置されたロッド７も斜め上方に延びるように保持される。具体的には、ロッドホルダーベース１が取り付けられた船縁２０とロッド７の先端部との上下方向の距離Ｌ２は、距離Ｌ１よりも長い。本実施の形態では、距離Ｌ２と距離Ｌ１との差は１０ｃｍ以上である。これにより、ロッド７の先端が海に浸ることを防止できる。
【００３６】
次に、ロッドホルダーベース１の船縁２０への取付方法について説明する。
【００３７】
使用者は、ロッドホルダーベース１の底面部２２に形成された４つのベース固定孔２６に図示せぬボルトを挿入してロッドホルダーベース１と船縁２０とを固定する。第１アーム３１及び第２アーム３２を側面部２１の外側に配置し、ベース保持孔３８とアーム保持孔２４とを接続部材４により互いに固定する。詳細には、ボルト６１を被固定部３５の下側に位置する２つのベース保持孔３８にそれぞれ挿入し、一方の側面部２１のアーム保持孔２４に挿入し、他方の側面部２１のアーム保持孔２４に挿入し、第２アーム３２に形成された２つの固定孔に挿入し、図示せぬナットによって固定する。固定ピン５２を各側面部２１のロッドホルダー保持孔２３に挿入して鋏保持部５をベース部２に取り付ける。
【００３８】
ロッドホルダー１０を側面部２１の間の空間に配置し、前側固定部材１１と後側固定部材１２とでロッドホルダー１０とベース部２及びアーム部３とを固定する。前側固定部材１１は、ボルトとナットとで構成されており、ボルトを第１アーム３１の上方に位置するベース保持孔３８、一方の側面部２１の上側に位置する前孔２３ａ、ロッドホルダー１０の図示せぬ貫通孔、他方の側面部２１の上側に位置する前孔２３ａ、第２アーム３２の上方に位置するベース保持孔、の順番で貫通させてナットで固定する。これにより、前側固定部材１１でベース部２とアーム部３とロッドホルダー１０とを互いに固定することができる。ロッドホルダー１０の後部を、ボルトとナットから構成される後側固定部材１２でベース部２に固定する。
【００３９】
使用者は、所望の位置の第１支持孔３６及び第２支持孔３７に２つの第１挿通部４２を左右方向のいずれかから通し、第１固定部４３によって餌箱台座４１をアーム部３に固定する。同様に、使用者は所望の位置の第１支持孔３６及び第２支持孔３７に２つの第２挿通部４８を左右方向のいずれかから通し、第２固定部４９によって磁石台座４７をアーム部３に固定する。使用者がロッドホルダーベース１及びロッドホルダー１０を船縁２０から取り外す場合には、上記と逆の順番で作業を行えばよい。
【００４０】
このような構成によると、ロッドホルダーベース１に釣り関連用品を保持することができる保持台座が着脱可能であるため、ロッドホルダー１０の周辺に釣り関連用品を配置することができる。また、アーム部３は船縁２０から離間する方向である前方向に突出しているため、船縁２０と干渉することなく餌箱台座４１又は磁石台座４７をロッドホルダーベース１の周囲に配置することができる。さらに、アーム部３と餌箱台座４１及び磁石台座４７とは、第１挿通部４２及び第２挿通部４８を第１支持孔３６及び第２支持孔３７に挿通し、第１固定部４３及び第２固定部４９によって固定しているため、船の揺れ等によってもアーム部３と餌箱台座４１及び磁石台座４７とが離脱することがない。これにより、簡易な構成によってアーム部３と保持台座とを固定することができる。
【００４１】
このような構成によると、ベース部２とアーム部３とはベース保持孔３８とアーム保持孔２４とにボルト６１が挿通され図示せぬナットによって固定されているため、船の揺れ等によってもベース部２とアーム部３とが離脱することがない。これにより、簡易な構成によってベース部２とアーム部３とを固定することができる。
【００４２】
このような構成によると、第１アーム３１に第１支持孔３６が形成されていて第２アーム３２に第２支持孔３７が形成されているため、第１アーム３１と第２アーム３２とで餌箱台座４１及び磁石台座４７を保持することができる。これにより、より強固にアーム部３が保持台座を保持することができる。
【００４３】
このような構成によると、餌箱台座４１は２本の第１挿通部４２によってアーム部３に保持され、磁石台座４７は２本の第２挿通部４８によってアーム部３に保持されているため、より強固にアーム部３が保持台座を保持することができる。
【００４４】
このような構成によると、船縁２０から後方に延びるように鋏保持部５を備えているため、ロッドホルダーベース１で鋏５１を保持することができる。
【００４５】
次に、図５を参照しながら、本発明の実施の形態の変形例について説明する。上述の実施の形態と同一の構成については、同一の符号を付し説明を省略する。変形例では、ベース部２に直接磁石台座４７が固定されている。なお、ベース部２に餌箱台座４１を直接固定してもよい。ベース部２のアーム保持孔２４には、第２挿通部４８が挿通されていて図示せぬ第２固定部により磁石台座４７が固定されている。これにより、アーム部３を必要とすることなく船縁の位置に磁石台座４７を配置することができる。
【００４６】
このような構成によると、ロッドホルダーベース１のベース部２に釣り関連用品を保持することができる磁石台座４７が着脱可能であるため、ロッドホルダーの周辺に釣り関連用品を配置することができる。また、ベース部２と磁石台座４７とは、２本の第２挿通部４８が２つのアーム保持孔２４にそれぞれ挿通されて図示せぬ第２固定部によって固定されているため、船の揺れ等によってもベース部２と磁石台座４７とが離脱することがない。これにより、簡易な構成によってベース部２と磁石台座４７とを固定することができる。
【００４７】
本発明によるロッドホルダーベースは、上述した実施の形態に限定されず、特許請求の範囲に記載された発明の要旨の範囲内で種々の変更が可能である。
【００４８】
上述の実施の形態では、アーム部３の突出方向は前方であったが、船縁２０と離間する方向であればこれに限定されない。アーム部の突出する方向は、斜め前方であってもよく、後方であってもよく、斜め後方であってもよい。
【００４９】
上述の実施の形態では、第１支持孔３６及び第２支持孔３７は第１アーム３１及び第２アーム３２にそれぞれ８つ形成されていたが、８つより多くてもよく少なくてもよい。また、第１支持孔及び第２支持孔３７は円形の貫通孔であったが、例えば、矩形や楕円形の貫通孔であってもよい。これにより、保持台座が回転することを確実に防止できる。
【００５０】
上述の実施の形態では、保持台座として餌箱台座４１及び磁石台座４７を例示したが、これに限定されない。例えば、錘、ペンチ、釣針外し器具、ペットボトルなどを保持することができる保持台座であって、少なくとも１つの挿通部と少なくとも１つの固定部とを備えているものであればよい。また、鋏保持部５の本体５３にペンチやナイフを保持してもよい。
【符号の説明】
【００５１】
１      ロッドホルダーベース
２      ベース部
３      アーム部
４      固定部材
５      鋏保持部
７      ロッド
１０    ロッドホルダー
２０    船縁
２４    アーム保持孔
３１    第１アーム
３２    第２アーム
３６    第１支持孔
３７    第２支持孔
３８    ベース保持孔
４１    餌箱台座
４２    第１挿通部
４７    磁石台座
４８    第２挿通部
５１    鋏
６１    ボルト
【図１】
2019024471.tif 000003
【図２】
2019024471.tif 000004
【図３】
2019024471.tif 000005
【図４】
2019024471.tif 000006
【図５】
2019024471.tif 000007